(57)【要約】【課題】照明灯具の照射角度の調整作業を効率的に行うことができる照明灯具を提供する。【解決手段】取付具１が、被取付部２に固定される固定部１１と、その両端から前方に突設されると共に照明灯具Ｐの発光部３を挟み込むように保持する保持部１２と、を備え、前記発光部３が、底板部３１と、その両端から前方に突設されると共に前記保持部１２に挟まれる側壁部３２と、前記底板部３１と側壁部３２とで形成された空間に内装された発光体３４と、を備え、前記保持部１２の内側面と前記側壁部３２の外側面には、それぞれ凹凸部１３，３３が形成されると共に、該凹凸部１３，３３どうしが互いに嵌合されることにより、取付具１に発光部３が保持されるようにする。【選択図】        図３
2014112501.tif 000002
【特許請求の範囲】
【請求項１】
取付具を介して被取付部に取付けられた照明灯具であって、
取付具は、被取付部に固定される固定部と、その両端から前方に突設されると共に照明灯具の発光部を挟み込むように保持する保持部と、を備え、
前記発光部は、底板部と、その両端から前方に突設されると共に前記保持部に挟まれる側壁部と、前記底板部と側壁部とで形成された空間に内装された発光体と、を備え、
前記保持部の内側面と前記側壁部の外側面には、それぞれ凹凸部が形成されると共に、該凹凸部どうしが互いに嵌合されることにより、取付具に発光部が保持されていることを特徴とする照明灯具。
【請求項２】
前記取付具の保持部間にわたって、前方に屈曲した屈曲部が前記発光部の底板部の外側面に当接されるように設けられ、前記発光部を押圧すると、底板部に押された前記屈曲部が伸ばされ、それにより保持部が外側に押し広げられ、発光部を押圧するのを止めると、発光部が保持部により保持された状態に戻るようになされていることを特徴とする請求項１に記載の照明灯具。
【発明の詳細な説明】
【技術分野】
【０００１】
本発明は、主として、バス停、シェルター、自転車置場等の天井面や壁面に設置されて、その設置された周囲を照らす照明灯具に関するものである。
【背景技術】
【０００２】
かかる照明灯具については、例えば、陳列棚を構成する支柱から前方に向けて突出させたアームの先端に、電源ランプを内装した照明具を取付けるに際して、概略、前記アームの先端にブラケットを介して円筒状の係止部材を取付けるとともに、照明具に取付けた締結部材を前記円筒状の係止部材の周囲に巻き付けて、前記照明具を前記アームに支持するようにすることにより、締結部材を前記円筒状の係止部材の周囲に沿って摺動させて、灯具の照射角度を調整することができるようにした陳列棚の照明装置が開示されている（例えば、特許文献１）。
【先行技術文献】
【特許文献】
【０００３】
【特許文献１】特開２００５−１１６１９７号公報
【発明の開示】
【発明が解決しようとする課題】
【０００４】
しかしながら、前記従来の照明装置については、ねじの締め付けにより係止部材と締結部材とを所定角度で固定しているため、照明具の照射角度を調整する場合、ねじを緩めた後、再びねじを締め付ける作業が必要となり、照明具の照射角度の調整作業の効率に課題を残すものであり、また、当該ねじの締め付けによって照明具を係止部材に固定していることから、この点からも、ねじの締め付け作業が必要である。
【０００５】
本発明は、前記の如き課題を解消し、発光体が内装された発光部の照射角度の調整作業を効率的に行うことができ、また発光部の取付けが簡便である照明灯具を提供せんとするものである。
【課題を解決するための手段】
【０００６】
上記目的を達成するために、本発明は次のような構成としている。
すなわち、本発明に係る照明灯具は、取付具を介して被取付部に取付けられた照明灯具であって、
取付具は、被取付部に固定される固定部と、その両端から前方に突設されると共に照明灯具の発光部を挟み込むように保持する保持部と、を備え、
前記発光部は、底板部と、その両端から前方に突設されると共に前記保持部に挟まれる側壁部と、前記底板部と側壁部とで形成された空間に内装された発光体と、を備え、
前記保持部の内側面と前記側壁部の外側面には、それぞれ凹凸部が形成されると共に、該凹凸部どうしが互いに嵌合されることにより、取付具に発光部が保持されていることを特徴とするものである。
【０００７】
また本発明に係る照明灯具は、前記取付具の保持部間にわたって、前方に屈曲した屈曲部が前記発光部の底板部の外側面に当接されるように設けられ、前記発光部を押圧すると、底板部に押された前記屈曲部が伸ばされ、それにより保持部が外側に押し広げられ、発光部を押圧するのを止めると、発光部が保持部により保持された状態に戻るようになされていることを特徴とするものである。
【発明の効果】
【０００８】
本発明に係る照明灯具によれば、取付具が、被取付部に固定される固定部と、その両端から前方に突設されると共に照明灯具の発光部を挟み込むように保持する保持部と、を備え、前記発光部が、底板部と、その両端から前方に突設されると共に前記保持部に挟まれる側壁部と、前記底板部と側壁部とで形成された空間に内装された発光体と、を備え、前記保持部の内側面と前記側壁部の外側面には、それぞれ凹凸部が形成されると共に、該凹凸部どうしが互いに嵌合されることにより、取付具に発光部が保持されるようにしているので、保持部の内側面の凹凸部と側壁部の外側面の凹凸部とをずらしさえすれば、簡単に照明灯具の照射角度の調整を行うことができ、また、例えば被取付部に固定された取付具に発光体を取付けるに際しては、発光体を側面から、又は正面から該取付具に挿入すれば、発光体を取付けることができるので、発光体の取付けが簡便である。
【０００９】
また本発明に係る照明灯具によれば、前記取付具の保持部間にわたって、前方に屈曲した屈曲部が前記発光部の底板部の外側面に当接されるように設けられ、前記発光部を押圧すると、底板部に押された前記屈曲部が伸ばされ、それにより保持部が外側に押し広げられ、発光部を押圧するのを止めると、発光部が保持部により保持された状態に戻るようになされているので、発光部を押圧し側壁部と保持部とを離間させた状態で、発光部を所定の角度回動させた後、発光部を押圧するのを止めるだけで、簡単に照明灯具の照射角度の調整を行うことができる。
【図面の簡単な説明】
【００１０】
【図１】本発明に係る照明灯具の設置状態を示す、（イ）は正面図、（ロ）は主要部の拡大右側面図、（ハ）は取付具付近の拡大正面図である。
【図２】本発明に係る照明灯具の内部を説明するための右側面の部分拡大図である。
【図３】本発明に係る照明灯具の角度調整作業を示す説明図で、角度調整前の状態を示す説明図ある。
【図４】本発明に係る照明灯具の角度調整作業を示す説明図で、発光部を押圧した状態を示す説明図ある。
【図５】本発明に係る照明灯具の角度調整作業を示す説明図で、角度調整後の状態を示す説明図ある。
【発明を実施するための形態】
【００１１】
次に、本発明を実施するための形態について図面を参照し、具体的に説明する。
図面において、Ｐは取付具１を介して被固定部２に取付けられた照明灯具である。本実施形態において、照明灯具Ｐは屋根と側壁とを備えたバス停などの内側に、横桟等の被固定部２に取付具１を介してボルトやビス等の固定具Ｂで固定されている。
【００１２】
取付具１は、被取付部２に固定される固定部１１と、その両端から前方に突設されると共に照明灯具Ｐの発光部３を挟み込むように保持する保持部１２と、を備えている。そして、前記発光部３は、底板部３１と、その両端から前方に突設されると共に前記保持部１２に挟まれる側壁部３２と、前記底板部３１と側壁部３２とで形成された空間に内装された発光体３３と、を備え、前記保持部１２の内側面と前記側壁部３２の外側面には、それぞれ凹凸部１３，３３が形成されると共に、該凹凸部１３，３３どうしが互いに嵌合されることにより、取付具１に発光部３が保持されている。更に、取付具１には、保持部１２の基端寄りに、前記取付具１の保持部１２間にわたって、前方に屈曲した屈曲部１４が前記発光部３の底板部３１の外側面に当接されるように設けられている。
【００１３】
さらに詳細に説明すると、左右方向に横長の照明灯具Ｐの両端部が取付具１を介して被固定部２に取付けられており、取付具１の固定部１１は、左右方向に幅狭の平板状であって、その上下端から前方に、その先端同士の間隔が狭くなるようにして、そして内側面を凹状の湾曲形状となした保持部１２が突設されている。そして、左右方向に横長の発光部３は、左右方向に横長で平坦な底板部３１と、その上下端から前方に、その先端同士の間隔が狭くなるように突設されると共に前記保持部１２に挟まれる前記保持部１２の凹状の湾曲形状となした内側面に対応した形状で、外側面を凸状の湾曲形状となした側壁部３２と、左右方向に横長の発光体３４と、を備ええており、前記保持部１２の内側面と前記側壁部３２の外側面には、左右方向に延設された凹凸部１３，３３がそれぞれ形成されている。そして、発光体３４は、砲弾形の発光体本体３４１と該発光体本体３４１を内装したコ字状の発光体取付部３４２とを備えており、発光体取付部３４２が前記底板３１に取付けられて、前記底板３１と側壁部３２とで形成された空間に内装されるようになされている。
【００１４】
また、発光部３の側壁部３２内側の中央付近には、その長手方向に沿ってビスホール３２１が延設されており、発光部３の左右端には、前記ビスホール３２１にビスＢ１を螺入して側蓋３５が取付けられている。また、前記側壁部３２の内側の先端付近には、その長手方向に沿って溝部３２２が相対向して延設されており、透光性の材料からなる左右方向に横長のカバー材３６が前記溝部３２２に挿入され、発光部３の前面に取付けられている。
【００１５】
そして、前記取付具１は弾性変形が可能な、例えば合成樹脂から形成されており、図３に示すように、照明灯具Ｐの角度調整前の状態から、図４に示すように、前記発光部３を正面から奥方向（図４では左から右方向）に押圧すると、平坦な底板部３１に押された前記取付具１の屈曲部１４が上下方向に伸ばされ、それにより保持部１２が上下方向に押し広げられ、側壁部３２と保持部１２とを離間させた状態で、発光部３を所定の向き（本実施形態においては下向き）に回動させることができ、そして回動させた後、発光部３を押圧するのを止めると、上下方向に伸ばされていた前記屈曲部１４が戻され、それにより保持部１２が狭まり、前記保持部１２の内側面と前記側壁部３２の外側面に形成された凹凸部１３，３３が互いに嵌合し、発光部３が保持部１２により保持された状態に戻り、図５に示すように、照明灯具Ｐの角度調整作業が完了するので、簡単に照明灯具Ｐの照射角度の調整を行うことができる。
【００１６】
なお、上記形態では、発光部３は左右方向に横長に形成されているが、特にその長さに限定されるものではなく、また、取付具１は照明灯具Ｐの両端部に取付けられているが、取付箇所は適宜選定してもよい。また、発光部３の側壁部３２の外側面に左右方向に延設された凹凸部３３は、外側面の全長にわたり形成されている必要はなく、取付具１の保持部１２の内側面に形成された凹凸部１３と嵌合する部位に形成されていればよい。
【００１７】
さらに、保持部１２の内側面と前記側壁部３２の外側面に形成されている凹凸部１３，３３の形状は、上記実施形態においては鋸歯状であるが、これに限定されるものではなく、本発明の要旨を逸脱しない範囲において種々の変更を施した形態での実施が可能である。
【符号の説明】
【００１８】
１      取付具
１１    固定部
１２    保持部
１３    凹凸部
１４    屈曲部
２      被取付部
３      発光部
３１    底板部
３２    側壁部
３２１  ビスホール
３２２  溝部
３３    凹凸部
３４    発光体
３４１  発光体本体
３４２  発光体取付部
３５    側蓋
３６    カバー材
Ｐ      照明灯具
Ｂ      固定具
Ｂ１    ビス
【図１】
2014112501.tif 000003
【図２】
2014112501.tif 000004
【図３】
2014112501.tif 000005
【図４】
2014112501.tif 000006
【図５】
2014112501.tif 000007